(57)【要約】 【課題】簡素な構成で、異なる種類の光ディスクを使用可能である光ピックアップ装置を提供する。 【解決手段】第１の対物レンズ部ＯＬ１及び第２の対物レンズ部ＯＬ２の光学面が、それぞれ屈折面のみからなるので、成形を比較的容易に行うことができ、コストを低減できる。又、レーザモジュールＬＭと光学素子ＯＥとの間には、可動のコリメータＣＯＬが配置されているので、コリメータＣＯＬを光軸方向に駆動することで、光ディスクに応じて倍率を変化させることで、同じ第２の対物レンズ部ＯＬ２を用いた場合でも、異なる保護基板厚のＣＤ、ＤＶＤに対して適切な集光スポットを形成できる。【選択図】図１
2008171538.tif 000002
【特許請求の範囲】
【請求項１】
波長が異なる光束を出射可能な複数の光源と、第１の対物レンズ部及び第２の対物レンズ部とを有し、前記複数の光源のうち何れかの光源からの光束を、前記第１の対物レンズ部を介して保護基板厚ｔ１の第１光情報記録媒体の情報記録面に集光させることにより、その情報記録面に対して情報の記録及び／又は再生が可能となっており、また前記複数の光源のうち何れかの光源からの光束を、前記第２の対物レンズ部を介して保護基板厚ｔ２（ｔ２≧ｔ１）の第２光情報記録媒体の情報記録面に集光させることにより、その情報記録面に対して情報の記録及び／又は再生が可能となっており、前記複数の光源のうち何れかの光源からの光束を、前記第１の対物レンズ部又は前記第２の対物レンズ部を介して保護基板厚ｔ３（ｔ３≧ｔ２）の第３光情報記録媒体の情報記録面に集光させることにより、その情報記録面に対して情報の記録及び／又は再生が可能となっている光ピックアップ装置であって、
前記第１の対物レンズ部及び前記第２の対物レンズ部は、それぞれ屈折面のみからなる光学面を有し、
前記光源と前記光学素子との間には、収差補正手段が配置されていることを特徴とする光ピックアップ装置。
【請求項２】
前記光ピックアップ装置は、前記複数の光源のうち何れかの光源からの光束を、前記第１の対物レンズ又は前記第２の対物レンズを介して保護基板厚ｔ４の第４光情報記録媒体の情報記録面に集光させることにより、その情報記録面に対して情報の記録及び／又は再生が可能であることを特徴とする請求項１に記載の光ピックアップ装置。
【請求項３】
前記光源は、波長λ１の第１光束を出射する第１光源と、波長λ２（λ１＜λ２）の第２光束を出射する第２光源と、波長λ３（λ２＜λ３）の第３光束を出射する第３光源とを含み、
前記第１対物レンズ部は、前記第１光束を保護基板厚ｔ１の前記第１光情報記録媒体の情報記録面上に集光し、
前記第２対物レンズ部は、前記第１光束を保護基板厚ｔ２の前記第２光情報記録媒体の情報記録面上に集光し、前記第２光束を保護基板厚さｔ３（ｔ２＝ｔ３）の前記第３光情報記録媒体の情報記録面上に集光し、前記第３光束を保護基板厚ｔ４（ｔ３＜ｔ４）の第４光情報記録媒体の情報記録面上に集光し、
前記収差補正手段は、前記第２対物レンズ部と前記光源との間に設けられていることを特徴とする請求項１又は２に記載の光ピックアップ装置。
【請求項４】
前記収差補正手段は、倍率変換手段であることを特徴とする請求項１乃至３のいずれかに記載の光ピックアップ装置。
【請求項５】
前記倍率変換手段は、光軸方向に移動可能な光学素子を有することを特徴とする請求項４に記載の光ピックアップ装置。
【請求項６】
前記倍率変換手段は、回折構造を有する光学素子を有することを特徴とする請求項４又は５に記載の光ピックアップ装置。
【請求項７】
前記収差補正手段は、液晶素子を有することを特徴とする請求項１乃至６のいずれかに記載の光ピックアップ装置。
【請求項８】
前記第１の対物レンズ部と前記第２の対物レンズ部とは一体的に形成されていることを特徴とする請求項１乃至７のいずれかに記載の光ピックアップ装置。
【請求項９】
前記第１の対物レンズ部と前記第２の対物レンズ部とは、それぞれ別体の光学素子であることを特徴とする請求項１乃至７のいずれかに記載の光ピックアップ装置。
【発明の詳細な説明】
【技術分野】
【０００１】
本発明は、異なる種類の光情報記録媒体（光ディスクともいう）に対して情報の記録及び／又は再生を行える光ピックアップ装置に関する。 
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２３〜２７ＧＢの情報の記録が可能であり、又、ＮＡ０．６５、光源波長４０５ｎｍの仕様で情報記録／再生を行う光ディスク、いわゆるＨＤ ＤＶＤ（以下、ＨＤという）では、直径１２ｃｍの光ディスクに対して、１層あたり１５〜２０ＧＢの情報の記録が可能である。尚、ＢＤでは、光ディスクの傾き（スキュー）に起因して発生するコマ収差が増大するため、ＤＶＤにおける場合よりも保護層を薄く設計し（ＤＶＤの０．６ｍｍに対して、０．１ｍｍ）、スキューによるコマ収差量を低減している。以下、本明細書では、このような光ディスクを「高密度光ディスク」と呼ぶ。
【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録／再生ができるようにすることが望まれている。更に、光ピックアップ装置がノート型パソコン等に搭載されることも考慮すると、複数種の光ディスクに対する互換性を有するのみでは足らず、そのコンパクト化を更に推進する事が重要である。
【０００４】
このように、光ディスクとしては現在のところ、ＢＤ、ＨＤ、ＤＶＤ、ＣＤの４種類が市販されているが、光ピックアップ装置で使用可能な光ディスクを、例えば２種類に限定することはユーザーの利便性を低下させることとなる。一方、３種類以上の光ディスクを使用するために３つ以上の対物レンズを用いることも考えられるが、それにより光学系が複雑化しコンパクト性が失われるという問題がある。そこで、対物レンズを２つ用いて、光ピックアップ装置のコンパクト化と、３種類以上の異なる光ディスクの互換使用とを両立できないかを考える。かかる場合、２つの対物レンズに、どのような種類の光ディスクを分担させるかが問題となる。
【０００５】
ここで一つの問題は、２種類の高密度光ディスクの仕様を考慮すると、対物レンズの共用化を図ることは技術的に困難であるということである。その理由を以下に説明する。例えば特許文献１には、回折効果を用いて同一波長の光束を振り分けることで、一つの対物光学素子でＢＤとＨＤの互換使用を可能としているピックアップ装置が記載されている。このような対物レンズと、既に上市されているＤＶＤ／ＣＤ互換用の対物レンズを２つ組み合わせて用いれば、異なる４種類の光ディスクに対して情報の記録／再生を行うことができるともいえる。 
【特許文献１】特開２００６−１４７０６９号公報
【発明の開示】
【発明が解決しようとする課題】
【０００６】
ところが、上記の特許文献１に記載された光ピックアップ装置のように、回折効果を用いてＢＤとＨＤの互換使用を実現する場合、例えば光源から回折構造を通過して一方の光ディスクへ向かう光の利用効率（ここでいう利用効率は、対物光学素子の光源側の光学面に入射した光量に対して、光ディスク上のスポットに寄与する光量の比率）が４０％（回折構造を利用した回折振り分けの場合、理論上５０％を超えない）であるとすると、光ディスクから同じ回折構造を通過して光検出器に向かう光の利用効率（ここでいう利用効率は、対物光学素子の光ディスク側の光学面に入射した光量に対して、光検出器上のスポットに寄与する光量の比率）は４０％になるから、トータルの利用効率で（ここでいう利用効率は、対物光学素子の光源側の光学面に入射した光量に対して、光検出器上のスポットに寄与する光量の比率）４０％の二乗で１６％の光しか利用できず、光源の発光強度を大幅に高める必要があり実用化は極めて困難であるといえる。
【０００７】
一方、ＢＤ又はＨＤと、ＤＶＤやＣＤとの互換は、使用する光束の波長が異なるので、回折構造の回折効果を用いて保護基板厚さの差に起因する球面収差を補正することは可能である。しかしながら、回折構造は微細な輪帯状構造であり、小さな対物レンズの光学面に精度良く形成するためには、高度な成形技術が必要であり、また高度な成形技術を駆使してもある程度製造誤差が残存することは避けられず、それにより回折効率が低下することから、回折構造はなるべく用いたくないという実情がある。
【０００８】
本発明は、かかる従来技術の問題点に鑑みてなされたものであり、簡素な構成で、異なる種類の光ディスクを使用可能である光ピックアップ装置を提供することを目的とする。
【課題を解決するための手段】
【０００９】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。 
【００１０】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。
【００１１】
請求項１に記載の光ピックアップ装置は、波長が異なる光束を出射可能な複数の光源と、第１の対物レンズ部及び第２の対物レンズ部とを有し、前記複数の光源のうち何れかの光源からの光束を、前記第１の対物レンズ部を介して保護基板厚ｔ１の第１光情報記録媒体の情報記録面に集光させることにより、その情報記録面に対して情報の記録及び／又は再生が可能となっており、また前記複数の光源のうち何れかの光源からの光束を、前記第２の対物レンズ部を介して保護基板厚ｔ２（ｔ２≧ｔ１）の第２光情報記録媒体の情報記録面に集光させることにより、その情報記録面に対して情報の記録及び／又は再生が可能となっており、前記複数の光源のうち何れかの光源からの光束を、前記第１の対物レンズ部又は前記第２の対物レンズ部を介して保護基板厚ｔ３（ｔ３≧ｔ２）の第３光情報記録媒体の情報記録面に集光させることにより、その情報記録面に対して情報の記録及び／又は再生が可能となっている光ピックアップ装置であって、
前記第１の対物レンズ部及び前記第２の対物レンズ部は、それぞれ屈折面のみからなる光学面を有し、
前記光源と前記光学素子との間には、収差補正手段が配置されていることを特徴とする。
【００１２】
本発明によれば、異なる３種類以上の光情報記録媒体に対する情報の記録／再生のために、前記第１の対物レンズ部及び前記第２の対物レンズ部のみを設けているので、光源から光情報記録媒体に向かう光学系を簡素化でき、更に前記第１の対物レンズ部及び前記第２の対物レンズ部の光学面が、それぞれ屈折面のみからなるので、例えば光学面に微細な回折構造等を形成する必要がなく、前記光学素子の成形を比較的容易に行うことができ、これによりコストを低減できる。又、前記光源と前記光学素子との間には、収差補正手段が配置されているので、前記第１の対物レンズ部及び前記第２の対物レンズ部の光学面を、それぞれ屈折面のみから形成した場合でも、光情報記録媒体の保護基板厚さに起因する球面収差を有効に補正することができる。収差補正手段とは、異なる光情報記録媒体の記録／再生を行う際に、基板厚の差及び／又は波長の差に基づいて発生する球面収差を補正し、一つの対物レンズ部で異なる光情報記録媒体の互換使用を可能とする手段をいう。収差補正手段は、前記第２光情報記録媒体と、前記第３光情報記録媒体及び／又は第４光情報記録媒体との保護基板厚さや波長の差によって発生する球面収差を補正することが好ましい。前記第３光情報記録媒体又は前記第４光情報記録媒体の一方は、収差補正手段によらず、光源の配置によって光路長を変える事によって倍率を変更するようにしても良い。
【００１３】
特に対象となる光情報記録媒体に制限はないが、ＨＤ専用の第１対物レンズ部とＢＤ／ＤＶＤ／ＣＤ互換用の第２対物レンズ部を設ける場合や、ＢＤ専用の第１対物レンズ部とＨＤ／ＤＶＤ／ＣＤ互換用の第２対物レンズ部を設ける場合、ＢＤ／ＨＤ互換用の第１対物レンズ部とＤＶＤ／ＣＤ互換用の第２対物レンズ部を設ける場合、ＢＤ専用の第１対物レンズ部とＤＶＤ／ＣＤ互換用の第２対物レンズ部を設ける場合、ＨＤ専用の第１対物レンズ部とＤＶＤ／ＣＤ互換用の第２対物レンズ部を設ける場合などを挙げることができる。
【００１４】
請求項２に記載の光ピックアップ装置は、請求項１に記載の発明において、前記複数の光源のうち何れかの光源からの光束を、前記第１の対物レンズ又は前記第２の対物レンズを介して保護基板厚ｔ４の第４光情報記録媒体の情報記録面に集光させることにより、その情報記録面に対して情報の記録及び／又は再生が可能であることを特徴とする。
【００１５】
請求項３に記載の光ピックアップ装置は、請求項１又は２に記載の発明において、前記光源は、波長λ１の第１光束を出射する第１光源と、波長λ２（λ１＜λ２）の第２光束を出射する第２光源と、波長λ３（λ２＜λ３）の第３光束を出射する第３光源とを含み、前記第１対物レンズ部は、前記第１光束を保護基板厚ｔ１の前記第１光情報記録媒体の情報記録面上に集光し、前記第２対物レンズ部は、前記第１光束を保護基板厚ｔ２の前記第２光情報記録媒体の情報記録面上に集光し、前記第２光束を保護基板厚さｔ３（ｔ２＝ｔ３）の前記第３光情報記録媒体の情報記録面上に集光し、前記第３光束を保護基板厚ｔ４（ｔ３＜ｔ４）の第４光情報記録媒体の情報記録面上に集光し、前記収差補正手段は、前記第２対物レンズ部と前記光源との間に設けられていることを特徴とする。
【００１６】
例えば、一方の対物レンズ部により、保護基板厚ｔ１，ｔ３，ｔ４がそれぞれ異なる前記第１光情報記録媒体、前記第３光情報記録媒体、前記第４光情報記録媒体の情報記録面に集光することもできるが、保護基板厚ｔ１，ｔ３，ｔ４の差に起因した球面収差を補正するためには、倍率差を大きく確保する必要があり、それにより構成の大型化を招き、またいずれかの光情報記録媒体におけるトラッキングシフト特性が悪くなるという問題がある。これに対し、本発明のように、前記第２対物レンズ部により、前記第２光情報記録媒体、前記第３光情報記録媒体、前記第４光情報記録媒体の情報記録面に集光するようにすれば、前記第２光情報記録媒体と前記第３光情報記録媒体については、保護基板厚さが等しい（ｔ２＝ｔ３）ので、色収差のみを倍率差で補正すれば足りるため、構成のコンパクト化を図り、良好なトラッキングシフト特性を確保できる。尚、収差補正手段は、第２対物レンズ部と前記光源との間の光路中に設けられるが、その結果、第１対物レンズ部と光源との間の光路に配置されるようになってもよいし、第１対物レンズ部と光源との間の光路には配置されないようになってもよい。
【００１７】
請求項４に記載の光ピックアップ装置は、請求項１乃至３のいずれかに記載の発明において、前記収差補正手段は、倍率変換手段であることを特徴とする。
【００１８】
本発明によれば、倍率変換手段が、光情報記録媒体に応じて対物レンズ部に入射する光束の倍率を変化させることで、一つの対物レンズ部で、異なる光情報記録媒体の情報記録面に対して適切な集光スポットを形成できる。
【００１９】
請求項５に記載の光ピックアップ装置は、請求項４に記載の発明において、前記倍率変換手段は光軸方向に移動可能な光学素子を有することを特徴とする。
【００２０】
倍率変換手段が光軸方向に移動可能な光学素子を有する場合、特に、対象となる光情報記録媒体に制限はないが、好ましくは、ＢＤ／ＨＤ互換用の第１対物レンズ部とＤＶＤ／ＣＤ互換用の第２対物レンズ部を設けたり、ＨＤ専用の第１対物レンズ部とＢＤ／ＤＶＤ／ＣＤ互換用の第２対物レンズ部を設けたり、ＢＤ専用の第１対物レンズ部とＨＤ／ＤＶＤ／ＣＤ互換用の第２対物レンズ部を設けたりすると良い。
【００２１】
請求項６に記載の光ピックアップ装置は、請求項４又は５に記載の発明において、前記倍率変換手段は回折構造を有する光学素子を有することを特徴とする。
【００２２】
回折構造を有する光学素子としては、例えば、コリメータレンズやカップリングレンズに回折構造を設けたものであってもよいし、平板に回折構造を設けたものであっても良い。例えば、図３に示すような形態の光学素子ＤＯで、ＤＶＤ用の光束を透過し、ＣＤ用の光束は回折して発散するような光学素子が例として挙げられる。この場合、図３に示す形態の光学素子ＤＯにおいて、１段の段差の量ＤＰは、ＤＶＤ用の光束の波長と等しい事が好ましい。
【００２３】
倍率変換手段が回折構造を有する光学素子を有する場合、特に、対象となる光情報記録媒体に制限はないが、好ましくは、光学素子が、ＢＤ専用の第１対物レンズ部とＤＶＤ／ＣＤ互換用の第２対物レンズ部を有する光学素子や、ＨＤ専用の第１対物レンズ部とＤＶＤ／ＣＤ互換用の第２対物レンズ部を有する光学素子であることが好ましい。
【００２４】
請求項７に記載の光ピックアップ装置は、請求項１乃至６のいずれかに記載の発明において、前記収差補正手段は、液晶素子を有することを特徴とする。
【００２５】
液晶素子は、波面に位相を付与する事により収差補正を行なう。収差補正手段が液晶素子を有する場合、特に、対象となる光情報記録媒体に制限はない。
【００２６】
なお、上述した可動の光学素子や回折構造を有する光学素子等の倍率変換手段や、液晶素子などの何れか２つもしくは全てを組み合わせて収差補正手段としてもよい。
【００２７】
更に、好ましくは、ＨＤ専用の第１対物レンズ部とＢＤ／ＤＶＤ／ＣＤ互換用の第２対物レンズ部を設けたり、ＢＤ専用の第１対物レンズ部とＨＤ／ＤＶＤ／ＣＤ互換用の第２対物レンズ部を設けたりしてもよい。
【００２８】
請求項８に記載の光ピックアップ装置は、請求項１乃至７のいずれかに記載の発明において、前記第１対物レンズ部と前記第２対物レンズ部とは一体的に形成されていることを特徴とする。
【００２９】
上述のような構成にする事により、互換可能な光ピックアップ装置において、対物レンズの「共通化」と「コンパクト化」を両立させ、好ましい光学性能を得ることが可能となる。上述のように一体的に形成されている複合光学素子は、個々に成形した２つのレンズを用いる場合に比べて、フランジ部を共通化できるため、レンズ間の間隔を狭められるというメリットがある。また、組み立て調整の簡易化や低コスト化を図ることができるというメリットもある。
【００３０】
請求項９に記載の光ピックアップ装置は、請求項１乃至７のいずれかに記載の発明において、前記第１の対物レンズ部と前記第２の対物レンズ部とは、それぞれ別体の光学素子であることを特徴とする。独立した成形により、高精度な形状を有する前記第１の対物レンズ部と前記第２の対物レンズ部とを形成できる。
【発明の効果】
【００３１】
本発明によれば、簡素な構成で、異なる種類の光ディスクを使用可能である光ピックアップ装置を提供することができる。
【発明を実施するための最良の形態】
【００３２】
以下、本発明の実施の形態について図面を用いて説明する。尚、本実施の形態にかかる光ピックアップ装置ＰＵ１は、光ディスクドライブ装置に組み込むことが可能である。図１は、光ピックアップ装置ＰＵ１の概略構成を示す図である。図２は、光学素子ＯＥの側面図である。尚、本実施の形態においては、第１の対物レンズ部ＯＬ１と第２の対物レンズ部ＯＬ２は一体的に成形され、光学素子ＯＥとなっている。
【００３３】
光ピックアップ装置ＰＵ１は、ＢＤ及びＨＤに対して情報の記録／再生を行う場合に発光され４０７ｎｍの青紫色レーザ光束（第１光束）を射出する第１の発光点ＥＰ１（第１光源）と、ＤＶＤに対して情報の記録／再生を行う場合に発光され６５５ｎｍのレーザ光束（第２光束）を射出する第２の発光点ＥＰ２（第２光源）と、ＢＤ、ＨＤの情報記録面ＲＬ１、ＲＬ２からの反射光束を受光する第１の受光部ＤＳ１と、ＤＶＤの情報記録面ＲＬ３からの反射光束を受光する第２の受光部ＤＳ２と、プリズムＰＳとから構成されたレーザモジュールＬＭ、及びＣＤに対して情報の記録／再生を行う場合に発光され７８５ｎｍのレーザ光束（第３光束）を射出する第３の光源と、光検出器とを一体化した発光部・受光部一体型光源ユニットであるホログラムレーザＨＬと、１軸アクチュエータＡＣ２により光軸方向に駆動される倍率変換手段であるコリメータＣＯＬと、アクチュエータＡＣ１により駆動される光学素子ＯＥとを有している。光学素子ＯＥは、それぞれ屈折面のみからなる光学面を備えた第１の対物レンズ部ＯＬ１と第２の対物レンズ部ＯＬ２とを有しており、ボビンＢＢに保持されている。
【００３４】
光ピックアップ装置ＰＵ１において、ＨＤに対して情報の記録／再生を行う場合には、図１に示す位置にアクチュエータＡＣ１ごとボビンＢＢを移動させ、第１の対物レンズ部ＯＬ１を光路内に挿入し、第１の発光点ＥＰ１を発光させる。第１の発光点ＥＰ１から射出された発散光束は、図１において実線でその光線経路を描いたように、１軸アクチュエータＡＣ２により第１の位置に移動させられたコリメータＣＯＬにより平行光束に変換され、ビームスプリッタＢＳを通過し、第１の対物レンズ部ＯＬ１に平行光の状態で入射した後、ＨＤの保護基板ＰＬ１を介して情報記録面ＲＬ１上に形成されるスポットとなる。第１の対物レンズ部ＯＬ１は、アクチュエータＡＣ１によってボビンＢＢごと駆動されフォーカシングやトラッキングを行う。
【００３５】
情報記録面ＲＬ１で情報ピットにより変調された反射光束は、再び第１の対物レンズ部ＯＬ１、ビームスプリッタＢＳ及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＨＤに記録された情報を読み取ることができる。ＨＤの記録・再生時の温度変化により生じる球面収差や、２層ディスク使用による球面収差はコリメータＣＯＬを駆動させて補正する。
【００３６】
光ピックアップ装置ＰＵ１において、ＢＤに対して情報の記録／再生を行う場合には、図１に示す位置からボビンＢＢを上方に移動させ、第２の対物レンズ部ＯＬ２を光路内に挿入し、第１の発光点ＥＰ１を発光させる。第１の発光点ＥＰ１から射出された発散光束は、図１においてその光線経路は省略されているが、１軸アクチュエータＡＣ２により第１の位置に移動させられたコリメータＣＯＬにより平行光束に変換され、ビームスプリッタＢＳを通過し、第２の対物レンズ部ＯＬ２に平行光の状態で入射した後、ＢＤの保護基板ＰＬ２を介して情報記録面ＲＬ２上に形成されるスポットとなる。第２の対物レンズ部ＯＬ２は、アクチュエータＡＣ１によってボビンＢＢごと駆動されフォーカシングやトラッキングを行う。 
【００３７】
情報記録面ＲＬ２で情報ピットにより変調された反射光束は、再び第２の対物レンズ部ＯＬ２、ビームスプリッタＢＳ及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＢＤに記録された情報を読み取ることができる。
【００３８】
光ピックアップ装置ＰＵ１において、ＤＶＤに対して情報の記録／再生を行う場合には、図１に示す位置からボビンＢＢを上方に移動させ、第２の対物レンズ部ＯＬ２を光路内に挿入し、且つコリメータＣＯＬを１軸アクチュエータＡＣ２により第２の位置に移動させ、第２の発光点ＥＰ２を発光させる。第２の発光点ＥＰ２から射出された発散光束は、図１において二点鎖線でその光線経路を描いたように、コリメータＣＯＬにより有効径内の光束は弱発散光束に変換され、有効径外の光束はフレア光となる。弱発散光束は、ビームスプリッタＢＳを通過し、第２の対物レンズ部ＯＬ２に有限発散光束の状態で入射した後、ＤＶＤの保護基板ＰＬ３を介して情報記録面ＲＬ３上に形成されるスポットとなる。第２の対物レンズ部ＯＬ２は、アクチュエータＡＣ１によってボビンＢＢごと駆動されフォーカシングやトラッキングを行う。 
【００３９】
情報記録面ＲＬ３で情報ピットにより変調された反射光束は、再び第２の対物レンズ部ＯＬ２、ビームスプリッタＢＳ及びコリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＤＶＤに記録された情報を読み取ることができる。
【００４０】
光ピックアップ装置ＰＵ１において、ＣＤに対して情報の記録／再生を行う場合には、図１に示す位置からボビンＢＢを図で上方へと移動させ、第２の対物レンズ部ＯＬ２を光路内に挿入し、ホログラムレーザＨＬを発光させる。ホログラムレーザＨＬから射出された発散光束は、図１において点線でその光線経路を描いたように、ビームスプリッタＢＳで反射され、第２の対物レンズ部ＯＬ２に有限発散光束の状態で入射した後、そこからＣＤの保護基板ＰＬ４を介して情報記録面ＲＬ４上に形成されるスポットとなる。第２の対物レンズ部ＯＬ２は、アクチュエータＡＣ１によってボビンＢＢごと駆動されフォーカシングやトラッキングを行う。 
【００４１】
情報記録面ＲＬ４で情報ピットにより変調された反射光束は、再び第２の対物レンズ部ＯＬ２、ビームスプリッタＢＳで反射された後、ホログラムレーザＨＬに入射し、光検出器の受光面に収束する。そして、光検出器の出力信号を用いてＣＤに記録された情報を読み取ることができる。
【００４２】
本実施の形態によれば、第１の対物レンズ部ＯＬ１及び第２の対物レンズ部ＯＬ２の光学面が、それぞれ屈折面のみからなるので、光学素子ＯＥの成形を比較的容易に行うことができ、コストを低減できる。又、レーザモジュールＬＭと光学素子ＯＥとの間には、収差補正手段として可動のコリメータＣＯＬが配置されているので、コリメータＣＯＬを光軸方向に駆動することで、光ディスクに応じて倍率を変化させることで、同じ第２の対物レンズ部ＯＬ２を用いた場合でも、異なる保護基板厚のＢＤ、ＤＶＤに対して適切な集光スポットを形成できる。第１の対物レンズ部ＯＬ１を用いて、ＢＤ、ＨＤ、ＤＶＤ、ＣＤのいずれか１つ以上に集光スポットを形成しても良く、第２の対物レンズ部ＯＬ２を用いて、ＢＤ、ＨＤ、ＤＶＤ、ＣＤのいずれか１つ以上に集光スポットを形成しても良い。
【００４３】
以下、本発明の第２の実施の形態について図面を用いて説明する。尚、本実施の形態にかかる光ピックアップ装置ＰＵ２は、光ディスクドライブ装置に組み込むことが可能である。図４は、光ピックアップ装置ＰＵ２の概略構成を示す図である。図３は、第１の実施の形態と同様に光学素子ＤＯの側面図である。尚、本実施の形態においては、図２に示すように、第１の対物レンズ部ＯＬ１と第２の対物レンズ部ＯＬ２は一体的に成形され、光学素子ＯＥとなっている。
【００４４】
光ピックアップ装置ＰＵ２は、ＢＤに対して情報の記録／再生を行う場合に発光される４０７ｎｍのレーザ光束（第１光束）を射出する第１の光源ＢＬＤと、第１光束用の光検出器ＰＤと、ＤＶＤに対して情報の記録／再生を行う場合に発光され６５５ｎｍのレーザ光束（第２光束）を射出する第１の発光点ＥＰ１（第２光源）と、ＣＤに対して情報の記録／再生を行う場合に発光され７８０ｎｍのレーザ光束（第３光束）を射出する第２の発光点ＥＰ２（第３光源）と、ＣＤの情報記録面からの反射光束を受光する第１の受光部ＤＳ１と、ＤＶＤの情報記録面からの反射光束を受光する第２の受光部ＤＳ２と、プリズムＰＳとから構成されたレーザモジュールＬＭ、及びコリメータＣＯＬと、倍率変換手段である回折構造を有する平板状の光学素子ＤＯと、アクチュエータＡＣ１により駆動される光学素子ＯＥとを有している。光学素子ＯＥは、それぞれ屈折面のみからなる光学面を備えた第１の対物レンズ部ＯＬ１と第２の対物レンズ部ＯＬ２とを有しており、ボビンＢＢに保持されている。
【００４５】
光ピックアップ装置ＰＵ２において、ＢＤに対して情報の記録／再生を行う場合には、図４に示す位置にアクチュエータＡＣ１ごとボビンＢＢを移動させ、第１の対物レンズ部ＯＬ１を光路内に挿入し、第１光源ＢＬＤを発光させる。第１光源ＢＬＤから射出された発散光束は、図４においてその光線経路を描いたように、ビームスプリッタＢＳ２を通過し、ビームスプリッタＢＳ１で反射され、第１の対物レンズ部ＯＬ１に無限平行光束の状態で入射した後、そこからＢＤの保護基板を介して情報記録面上に形成されるスポットとなる。
【００４６】
情報記録面で情報ピットにより変調された反射光束は、再び第１の対物レンズ部ＯＬ１、ビームスプリッタＢＳ１で反射された後、ビームスプリッタＢＳ２で反射され、光検出器ＰＤの受光面に収束する。そして、光検出器の出力信号を用いてＢＤに記録された情報を読み取ることができる。
【００４７】
光ピックアップ装置ＰＵ２において、ＤＶＤに対して情報の記録／再生を行う場合には、図４に示す位置から上方にアクチュエータＡＣ１ごとボビンＢＢを移動させ、第２の対物レンズ部ＯＬ２を光路内に挿入し、第１の発光点ＥＰ１を発光させる。第１の発光点ＥＰ１から射出された発散光束は、図４において実線でその光線経路を描いたように、コリメータＣＯＬにより平行光束に変換され、倍率変換手段である回折構造を有する光学素子ＤＯに入射する。
【００４８】
光学素子ＤＯは、図３に示すような形態の光学素子であり、回折構造の１段の段差の量ＤＰは、ＤＶＤ用の光束の波長とほぼ等しい。従って、ＤＶＤ用の光束は光学素子ＤＯを透過し、ＣＤ用の光束は回折されて発散光束として出射される。
【００４９】
従って、光学素子ＤＯに入射した平行光束は、平行光束のまま光学素子ＤＯから出射される。ビームスプリッタＢＳ１を透過した平行光束は、第２の対物レンズ部ＯＬ２に平行光の状態で入射した後、ＤＶＤの保護基板を介して情報記録面上に形成されるスポットとなる。第２の対物レンズ部ＯＬ２は、アクチュエータＡＣ１によってボビンＢＢごと駆動されフォーカシングやトラッキングを行う。
【００５０】
情報記録面で情報ピットにより変調された反射光束は、再び第２の対物レンズ部ＯＬ２、ビームスプリッタＢＳ１、光学素子ＤＯ及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＤＶＤに記録された情報を読み取ることができる。
【００５１】
光ピックアップ装置ＰＵ２において、ＣＤに対して情報の記録／再生を行う場合には、図１に示す位置からボビンＢＢを上方に移動させ、第２の対物レンズ部ＯＬ２を光路内に挿入し、第２の発光点ＥＰ２を発光させる。第２の発光点ＥＰ２から射出された発散光束は、図４において二点鎖線でその光線経路を描いたように、コリメータＣＯＬにより平行光束に変換され、倍率変換手段である回折構造を有する光学素子ＤＯに入射する。
【００５２】
光学素子ＤＯは、前述したようにＤＶＤ用の光束は光学素子ＤＯを透過し、ＣＤ用の光束は回折されて発散光束として出射される。
【００５３】
従って、光学素子ＤＯに入射した平行光束は、発散光束として光学素子ＤＯから出射される。ビームスプリッタＢＳ１を透過した発散光束は、第２の対物レンズ部ＯＬ２に発散光の状態で入射した後、ＤＶＤの保護基板を介して情報記録面上に形成されるスポットとなる。第２の対物レンズ部ＯＬ２は、アクチュエータＡＣ１によってボビンＢＢごと駆動されフォーカシングやトラッキングを行う。
【００５４】
情報記録面ＲＬ３で情報ピットにより変調された反射光束は、再び第２の対物レンズ部ＯＬ２、ビームスプリッタＢＳ１、光学素子ＤＯ及びコリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＣＤに記録された情報を読み取ることができる。
【００５５】
本実施の形態によれば、第１の対物レンズ部ＯＬ１及び第２の対物レンズ部ＯＬ２の光学面が、それぞれ屈折面のみからなるので、光学素子ＯＥの成形を比較的容易に行うことができ、コストを低減できる。又、レーザモジュールＬＭと光学素子ＯＥとの間には、回折構造を有する光学素子ＤＯが配置されているので、光学素子を動かすことなく、光ディスクに応じて倍率を変化させることで、同じ第２の対物レンズ部ＯＬ２を用いた場合でも、異なる保護基板厚のＤＶＤ、ＣＤに対して適切な集光スポットを形成できる。第１の対物レンズ部ＯＬ１を用いて、ＢＤ、ＨＤ、ＤＶＤ、ＣＤのいずれか１つ以上に集光スポットを形成しても良く、第２の対物レンズ部ＯＬ２を用いて、ＢＤ、ＨＤ、ＤＶＤ、ＣＤのいずれか１つ以上に集光スポットを形成しても良い。
【００５６】
以下、本発明の第３の実施の形態について図面を用いて説明する。尚、本実施の形態にかかる光ピックアップ装置は、光ディスクドライブ装置に組み込むことが可能である。図６は、光ピックアップ装置の概略構成を示す図である。尚、本実施の形態においては、図６に示すように、第１の対物レンズ部ＯＬ１と第２の対物レンズ部ＯＬ２は別体の光学素子となっている。
【００５７】
図６は、第１光ディスクであるＢＤと第２光ディスクであるＨＤと第３光ディスクであるＤＶＤと第４光ディスクであるＣＤとに対して、適切に情報の記録及び／又は再生を行うことができる本実施の形態の光ピックアップ装置の構成を概略的に示す図である。図５は、本実施の形態の光ピックアップ装置に用いる対物レンズアクチュエータ装置の斜視図である。本実施の形態にかかる光ピックアップ装置は、光情報記録再生装置に搭載できる。なお、本発明は、本実施の形態に限られるものではない。
【００５８】
まず、対物レンズアクチュエータ装置から説明する。図５に示される対物レンズアクチュエータ装置１０は、図６の光ピックアップ装置ＰＵ１に配置されており、後述する半導体レーザからのレーザ光を、異なる光ディスクの情報記録面上にそれぞれ集光する別体の第１の対物レンズ部ＯＬ１、第２の対物レンズ部ＯＬ２と、これらの対物レンズ部ＯＬ１，ＯＬ２の光軸を，同一円周１３Ａ上に保持するレンズホルダ１３と、このレンズホルダ１３を円周１３Ａの中心軸の位置に設けられた支軸１４を介して回転自在に且つこの回転の中心軸に沿って往復移動自在に保持するシャーシ１５と、レンズホルダ１３を支軸１４に沿った方向に往復移動させるフォーカシングアクチュエータ（図示略）と、レンズホルダ１３に回転動作を付勢して各対物レンズ部ＯＬ１，ＯＬ２の位置決めを行うトラッキングアクチュエータ２０とを備えている。この対物レンズアクチュエータ装置１０には、各アクチュエータの動作制御を行う動作制御回路（図示略）が設けられている。
【００５９】
対物レンズ部ＯＬ１，ＯＬ２は、それぞれ円板状のレンズホルダ１３の平板面を貫通した孔部に装備されており、レンズホルダ１３の中心からそれぞれ等しい距離で配設されている。このレンズホルダ１３は、その中心部でシャーシ１５から立設された支軸１４の上端部と回転自在に係合しており、この支軸１４の下方には、図示を省略したフォーカシングアクチュエータが配設されている。
【００６０】
即ち、このフォーカシングアクチュエータは、支軸１４の下端部に設けられた永久磁石とこの周囲に設けられたコイルとにより電磁ソレノイドを構成し、コイルに流す電流を調節することにより、支軸１４及びレンズホルダ１３に対して当該支軸１４に沿った方向（図５における上下方向）への微小単位での往復移動を付勢し，焦点距離の調整を行うようになっている。
【００６１】
また、前述したようにこのレンズホルダ１３は、トラッキングアクチュエータ２０によって、光軸と平行な軸線を有する支軸１４を中心とした回動動作が付与される。このトラッキングアクチュエータ２０は、レンズホルダ１３の端縁部に支軸１４を挟んで対称に設けられた一対のトラッキングコイル２１Ａ，２１Ｂと、レンズホルダ１３の端縁部に近接してシャーシ１５上の支軸１４を挟んで対称となる位置にそれぞれ設けられた二組の対を成すマグネット２２Ａ，２２Ｂ，２３Ａ，２３Ｂとを備えている。
【００６２】
そして、トラッキングコイル２１Ａ，２１Ｂが、一方の対を成すマグネット２２Ａ，２２Ｂと個々に対向するときには、第１の対物レンズ部ＯＬ１が立ち上げミラーＲＰ（図１）により反射されたレーザ光の光路上となるように、マグネット２２Ａ，２２Ｂの位置が設定されており、また、マグネット２３Ａ，２３Ｂと個々に対向するときには、第２の対物レンズ部ＯＬ２がレーザ光の光路上となるように、マグネット２３Ａ，２３Ｂの位置が設定されている。
【００６３】
また、上述のレンズホルダ１３には、トラッキングコイル２１Ａとマグネット２２Ｂ又はマグネット２３Ｂ，及びトラッキングコイル２１Ｂとマグネット２２Ａ又はマグネット２３Ａとが対向することがないように、その回動範囲を制限する図示しないストッパが設けられている。
【００６４】
さらに、トラッキングアクチュエータ２０は、円形のレンズホルダ１３の外周の接線方向が光ディスクのトラックの接線方向と直交するように配設され、このレンズホルダ１３に微小単位で回動動作を付勢することによりレーザ光のトラックに対する照射位置のズレの補正を行うためのものである。そのため、このトラッキング動作を行うために、例えば、各トラッキングコイル２１Ａ，２１Ｂが各マグネット２２Ａ，２２Ｂと対向した状態を保持しながら微妙にレンズホルダ１３に回動を付勢する必要が生じる。
【００６５】
かかるトラッキング動作を行うために、各トラッキングコイル２１Ａ，２１Ｂには、その内側に鉄片が装備されており、この鉄片が各マグネットに引き寄せられながら、これら各マグネットとの間に微妙な斥力を生じるように各トラッキングコイル２１Ａ，２１Ｂに電流を流す制御が動作制御回路によって行われる構成となっている。
【００６６】
次に、光ピックアップ装置本体について説明する。光ピックアップ装置ＰＵ１は、屈折面のみからなるＢＤ専用の第１の対物レンズ部ＯＬ１、対物レンズアクチュエータ装置１０、屈折面のみからなるＨＤ／ＤＶＤ／ＣＤ共用の第２の対物レンズ部ＯＬ２、立ち上げミラーＲＰ、λ／４波長板ＱＷＰ、負レンズＬ１と正レンズＬ２とから構成されたカップリングレンズＣＬ、正レンズＬ２を光軸方向に変位させるアクチュエータＡＣＴ、偏光ビームスプリッタＰＢＳ、波長λ１＝４０５ｎｍのレーザ光束（第１光束）を射出する半導体レーザＬＤ１（第１光源）と、波長λ２＝６５０ｎｍのレーザ光束（第２光束）を射出する半導体レーザ（第２光源）と波長λ３＝７８５ｎｍのレーザ光束（第３光束）を射出する半導体レーザ（第３光源）とを共通のパッケージに収容した２レーザ１パッケージ２Ｌ１Ｐ、センサ用レンズＳＬ、ＢＤの情報記録面ＲＬ１、ＨＤの情報記録面ＲＬ２、ＤＶＤの情報記録面ＲＬ３、ＣＤの情報記録面ＲＬ４からの反射光束を受光する受光素子ＰＤとを有する。
【００６７】
ＢＤの記録／再生を行う場合について説明する。まず、ＢＤに対して情報の記録及び／又は再生を行う場合、図５に示す対物レンズアクチュエータ機構１０のレンズホルダ１３を回転させ、図１に示すように第１の対物レンズ部ＯＬ１を光路内に挿入するものとする。更に、第１の対物レンズ部ＯＬ１へと射出される第１光束が平行光束となる位置に、正レンズＬ２をアクチュエータＡＣＴにより光軸方向に移動させた後、青紫色半導体レーザＬＤ１を発光させる（このときの正レンズＬ２の位置を第１の位置とする）。青紫色半導体レーザＬＤ１から射出された第１光束（λ１＝４０５ｎｍ）の発散光束は、ダイクロイックプリズムＤＰ、偏光ビームスプリッタＰＢＳを透過し、カップリングレンズＣＬにより平行光束とされた後、λ／４波長板ＱＷＰにより直線偏光から円偏光に変換され、立ち上げミラーＲＰで反射され、図示しない絞りによりその光束径が規制され、第１の対物レンズ部ＯＬ１によって厚さｔ１＝０．１ｍｍの保護基板ＰＬ１を介して、ＢＤの情報記録面ＲＬ１上に形成されるスポットとなる。
【００６８】
情報記録面ＲＬ１上で情報ピットにより変調された反射光束は、再び第１の対物レンズ部ＯＬ１、絞りを透過した後、立ち上げミラーＲＰで反射され、λ／４波長板ＱＷＰにより円偏光から直線偏光に変換され、カップリングレンズＣＬにより収斂光束とされ、偏光ビームスプリッタＰＢＳで反射した後、センサ用レンズＳＬによって非点収差が与えられ、受光素子ＰＤの受光面上に収束する。そして、受光素子ＰＤの出力信号を用いて、対物レンズアクチュエータ装置１０により第１の対物レンズ部ＯＬ１をフォーカシングやトラッキングさせることで、ＢＤに記録された情報を読み取ることができる。
【００６９】
次に、ＨＤの記録／再生を行う場合について説明する。ＨＤに対して情報の記録及び／又は再生を行う場合、図５に示す対物レンズアクチュエータ機構１０のレンズホルダ１３を回転させ、第２の対物レンズ部ＯＬ２を光路内に挿入するものとする。更に、アクチュエータＡＣＴにより正レンズＬ２を第１の位置に移動させた後、青紫色半導体レーザＬＤ１を発光させる。青紫色半導体レーザＬＤ１から射出された第１光束（λ１＝４０５ｎｍ）の発散光束は、ダイクロイックプリズムＤＰ、偏光ビームスプリッタＰＢＳを透過し、カップリングレンズＣＬにより平行光束とされた後、λ／４波長板ＱＷＰにより直線偏光から円偏光に変換され、立ち上げミラーＲＰで反射され、図示しない絞りによりその光束径が規制され、第２の対物レンズ部ＯＬ２によって厚さｔ２＝０．６ｍｍの保護基板ＰＬ２を介して、ＨＤの情報記録面ＲＬ２上に形成されるスポットとなる。
【００７０】
情報記録面ＲＬ２上で情報ピットにより変調された反射光束は、再び第２の対物レンズ部ＯＬ２、絞りを透過した後、立ち上げミラーＲＰで反射され、λ／４波長板ＱＷＰにより円偏光から直線偏光に変換され、カップリングレンズＣＬにより収斂光束とされ、偏光ビームスプリッタＰＢＳで反射した後、センサ用レンズＳＬによって非点収差が与えられ、受光素子ＰＤの受光面上に収束する。そして、受光素子ＰＤの出力信号を用いて、対物レンズアクチュエータ装置１０により第２の対物レンズ部ＯＬ２をフォーカシングやトラッキングさせることで、ＨＤに記録された情報を読み取ることができる。
【００７１】
次に、ＤＶＤの記録／再生を行う場合について説明する。ＤＶＤに対して情報の記録及び／又は再生を行う場合、図５に示す対物レンズアクチュエータ機構１０のレンズホルダ１３を回転させ、第２の対物レンズ部ＯＬ２を光路内に挿入するものとする。更に、２レーザ１パッケージ２Ｌ１Ｐの赤色半導体レーザから射出された第２光束（λ２＝６５０ｎｍ）が正レンズＬ２を透過後に角度θ１の発散光束となるように、正レンズＬ２をアクチュエータＡＣＴにより光軸方向に変位させた後（このときの正レンズＬ２の位置を第２の位置とする）、２レーザ１パッケージ２Ｌ１Ｐの赤色半導体レーザを発光させる。２レーザ１パッケージ２Ｌ１Ｐの赤色半導体レーザから射出された第２光束（λ１＝６５０ｎｍ）の発散光束は、ダイクロイックプリズムＤＰで反射され、偏光ビームスプリッタＰＢＳを透過し、カップリングレンズＣＬにより角度θ１の発散光束とされた後、λ／４波長板ＱＷＰにより直線偏光から円偏光に変換され、立ち上げミラーＲＰで反射され、図示しない絞りによりその光束径が規制され、第２の対物レンズ部ＯＬ２によって厚さｔ３＝０．６ｍｍの保護基板ＰＬ３を介して、ＤＶＤの情報記録面ＲＬ３上に形成されるスポットとなる。
【００７２】
情報記録面ＲＬ３上で情報ピットにより変調された反射光束は、再び第２の対物レンズ部ＯＬ２、絞りを透過した後、立ち上げミラーＲＰで反射され、λ／４波長板ＱＷＰにより円偏光から直線偏光に変換され、カップリングレンズＣＬにより収斂光束とされ、偏光ビームスプリッタＰＢＳで反射した後、センサ用レンズＳＬによって非点収差が与えられ、受光素子ＰＤの受光面上に収束する。そして、受光素子ＰＤの出力信号を用いて、対物レンズアクチュエータ装置１０により第２の対物レンズ部ＯＬ２をフォーカシングやトラッキングさせることで、ＤＶＤに記録された情報を読み取ることができる。
【００７３】
次に、ＣＤの記録／再生を行う場合について説明する。ＣＤに対して情報の記録及び／又は再生を行う場合、図５に示す対物レンズアクチュエータ機構１０のレンズホルダ１３を回転させ、第２の対物レンズ部ＯＬ２を光路内に挿入するものとする。更に、２レーザ１パッケージ２Ｌ１Ｐの赤色半導体レーザから射出された第３光束（λ３＝７８５ｎｍ）が正レンズＬ２を透過後に角度θ２（θ１≠θ２）の発散光束となるように、正レンズＬ２をアクチュエータＡＣＴにより光軸方向に変位させた後（このときの正レンズＬ２の位置を第３の位置とする）、２レーザ１パッケージ２Ｌ１Ｐの赤外半導体レーザを発光させる。尚、正レンズＬ２の第３の位置は、第２の位置よりも立ち上げミラーＲＰに近い位置である。２レーザ１パッケージ２Ｌ１Ｐの赤色半導体レーザから射出された第３光束（λ３＝７８５ｎｍ）の発散光束は、ダイクロイックプリズムＤＰで反射され、偏光ビームスプリッタＰＢＳを透過し、カップリングレンズＣＬにより角度θ２（θ２＞θ１）の発散光束とされた後、λ／４波長板ＱＷＰにより直線偏光から円偏光に変換され、立ち上げミラーＲＰで反射され、図示しない絞りによりその光束径が規制され、第２の対物レンズ部ＯＬ２によって厚さｔ４＝１．２ｍｍの保護基板ＰＬ４を介して、ＣＤの情報記録面ＲＬ４上に形成されるスポットとなる。
【００７４】
情報記録面ＲＬ４上で情報ピットにより変調された反射光束は、再び第２の対物レンズ部ＯＬ２、絞りを透過した後、立ち上げミラーＲＰで反射され、λ／４波長板ＱＷＰにより円偏光から直線偏光に変換され、カップリングレンズＣＬにより収斂光束とされ、偏光ビームスプリッタＰＢＳで反射した後、センサ用レンズＳＬによって非点収差が与えられ、受光素子ＰＤの受光面上に収束する。そして、受光素子ＰＤの出力信号を用いて、対物レンズアクチュエータ装置１０により第２の対物レンズ部ＯＬ２をフォーカシングやトラッキングさせることで、ＣＤに記録された情報を読み取ることができる。
【００７５】
本実施の形態によれば、別体である第１の対物レンズ部ＯＬ１及び第２の対物レンズ部ＯＬ２の光学面が、それぞれ屈折面のみからなるので、対物レンズ部の成形を比較的容易に行うことができ、コストを低減できる。又、レーザモジュールＬＭと光学素子ＯＥとの間には、収差補正手段として可動のコリメータＣＯＬが配置されているので、コリメータＣＯＬを光軸方向に駆動することで、光ディスクに応じて倍率を変化させることで、同じ第２の対物レンズ部ＯＬ２を用いた場合でも、異なる保護基板厚のＣＤ、ＤＶＤに対して適切な集光スポットを形成できる。第１の対物レンズ部ＯＬ１を用いて、ＢＤ、ＨＤ、ＤＶＤ、ＣＤのいずれか１つ以上に集光スポットを形成しても良く、第２の対物レンズ部ＯＬ２を用いて、ＢＤ、ＨＤ、ＤＶＤ、ＣＤのいずれか１つ以上に集光スポットを形成しても良い。
【図面の簡単な説明】
【００７６】
【図１】光ピックアップ装置ＰＵ１の構成を概略的に示す図である。
【図２】光学素子ＯＥの側面図である。
【図３】光学素子ＤＯの側面図である。
【図４】光ピックアップ装置ＰＵ２の構成を概略的に示す図である。
【図５】本実施の形態の光ピックアップ装置に用いる対物レンズアクチュエータ装置の斜視図である。
【図６】他の実施の形態の光ピックアップ装置の構成を概略的に示す図である。
【符号の説明】
【００７７】
ＡＣ１ アクチュエータ
ＡＣ２ １軸アクチュエータ
ＢＢ ボビン
ＢＳ ビームスプリッタ
ＣＬ コイル
ＣＯＬ コリメータ
ＤＳ１ 第１の受光部
ＤＳ２ 第２の受光部
ＥＰ１ 第１の発光点
ＥＰ２ 第２の発光点
ＨＬ ホログラムレーザ
ＬＭ レーザモジュール
ＯＬ１ 第１対物レンズ部
ＯＬ２ 第２対物レンズ部
ＰＬ１ 保護基板
ＰＬ２ 保護基板
ＰＬ３ 保護基板
ＰＬ４ 保護基板
ＰＳ プリズム
ＰＵ１，ＰＵ２ 光ピックアップ装置
ＲＬ１ 情報記録面
ＲＬ２ 情報記録面
ＲＬ３ 情報記録面
ＲＬ４ 情報記録面
１０ 対物レンズアクチュエータ装置
１３ レンズホルダ
１３Ａ 円周
１４ 支軸
１５ シャーシ
２０ トラッキングアクチュエータ
２１Ａ トラッキングコイル
２１Ｂ トラッキングコイル
２２Ａ マグネット
２２Ｂ マグネット
２３Ａ マグネット
２３Ｂ， マグネット
【図１】
2008171538.tif 000003
【図２】
2008171538.tif 000004
【図３】
2008171538.tif 000005
【図４】
2008171538.tif 000006
【図５】
2008171538.tif 000007
【図６】
2008171538.tif 000008